(57)【要約】【課題】一体性の通い箱を複数の多筐体に分けて適宜組み合わせることにより収納する部品或いは製品の大きさに応じて形状を任意に変更して組み立て可能な多種規格の組立式通い箱を提供する。【解決手段】左右の筐体とロックチップとで構成される組立式通い箱であって、左右の筐体は、１枚の底板、２枚の側壁、１枚の端板の３ピースでそれぞれ形成された外あきの一体性部品であり、左右の筐体における底板及び２枚の側壁に複数個の外あきスロットを設け、左右の筐体を適切に合わせて、左右の底板及び左右の２枚の側壁の相対する外あきスロットにロックチップを差し込んで組み立てることを特徴とする。【選択図】図１
2013056686.tif 000002
【特許請求の範囲】
【請求項１】
左右の筐体とロックチップとで構成される組立式通い箱であって、前記左右の筐体は、１枚の底板、２枚の側壁、１枚の端板の３ピースでそれぞれ形成された外あきの一体性部品であり、前記左右の筐体における底板及び２枚の側壁に複数個の外あきスロットを設け、前記左右の筐体を適切に合わせて、前記左右の底板及び前記左右の２枚の側壁の相対する外あきスロットに前記ロックチップを差し込んで組み立てることを特徴とする組立式通い箱。
【請求項２】
左右の筐体と増長筐体とロックチップとで構成される組立式通い箱であって、前記左右の筐体は、１枚の底板、２枚の側壁、１枚の端板の３ピースでそれぞれ形成された外あきの一体性部品であり、前記増長筐体は、１枚の増長底板、２枚の増長側壁の２ピースで形成されたＵ型増長部品であり、前記左右の筐体における底板及び２枚の側壁に複数個の外あきスロットを設け、前記増長筐体における増長底板及び２枚の増長側壁の両側に複数個の外あきスロットを設け、前記左右の筐体の間に前記増長筐体を介在させ前記左右の筐体と前記増長筐体を適切に合わせて、前記左右の底板及び前記左右の２枚の側壁とその間に介在させた前記増長底板及び前記２枚の増長側壁の相対する外あきスロットに前記ロックチップを差し込んで長さを増して組み立てることを特徴とする組立式通い箱。
【請求項３】
左右の筐体と左右の嵩上筐体とロックチップとで構成される組立式通い箱であって、前記左右の筐体は、１枚の底板、２枚の側壁、１枚の端板の３ピースでそれぞれ形成された外あきの一体性部品であり、前記左右の嵩上筐体は、２枚の嵩上側壁、１枚の嵩上端板の２ピースでそれぞれ形成された外あきの一体性部品であり、前記左右の筐体における底板及び２枚の側壁に複数個の外あきスロットを設け、前記左右の嵩上筐体における２枚の嵩上側壁に複数個の外あきスロットを設け、前記左右の筐体と前記左右の嵩上筐体を適切に合わせて、前記左右の底板及び前記左右の２枚の側壁と前記左右の２枚の嵩上側壁の相対する外あきスロットに前記ロックチップを差し込んで高さを嵩上して組み立てることを特徴とする組立式通い箱。
【請求項４】
左右の筐体と増長筐体と左右の嵩上筐体と増長嵩上筐体とロックチップとで構成される組立式通い箱であって、前記左右の筐体は、１枚の底板、２枚の側壁、１枚の端板の３ピースでそれぞれ形成された外あきの一体性部品であり、前記増長筐体は、１枚の増長底板、２枚の増長側壁の２ピースで形成されたＵ型増長部品であり、前記左右の嵩上筐体は、２枚の嵩上側壁、１枚の嵩上端板の２ピースでそれぞれ形成された外あきの一体性部品であり、前記増長嵩上筐体は、２枚の増長嵩上側壁の１ピースで形成された増長嵩上部品であり、前記左右の筐体における底板及び２枚の側壁に複数個の外あきスロットを設け、前記増長筐体における増長底板及び２枚の増長側壁の両側に複数個の外あきスロットを設け、前記左右の嵩上筐体における２枚の嵩上側壁に複数個の外あきスロットを設け、前記増長嵩上筐体における２枚の増長嵩上側壁の両側に複数個の外あきスロットを設け、前記左右の筐体及び前記左右の嵩上筐体の間に前記増長筐体及び前記増長嵩上筐体を介在させ前記左右の筐体及び前記左右の嵩上筐体と前記増長筐体及び前記増長嵩上筐体を適切に合わせて、前記左右の底板、前記左右の２枚の側壁、前記左右の２枚の嵩上側壁とその間に介在させた前記増長底板、前記２枚の増長側壁、前記２枚の増長嵩上側壁の相対する外あきスロットに前記ロックチップを差し込んで長さを増すとともに高さを嵩上して組み立てることを特徴とする組立式通い箱。
【発明の詳細な説明】
【技術分野】
【０００１】
本発明は、収納する部品或いは製品の大きさに応じて通い箱の形状を任意に変更できる組立式通い箱に関する。
【背景技術】
【０００２】
従来、自動車製造業界、電子製品製造業界等の各業界では、包装、保管、運送の各工程において部品或いは製品を収納する通い箱として、紙段ボール箱が使用されているが、強度が不足して耐久性に問題があるため、この紙段ボール箱に代わるものとして、プラスチック製の通い箱が広く採用されるようになっているが、折りたたみができないため保管上に問題があった。そのために簡単な作業で小型に折りたたむことができる折りたたみ式通い箱が知られている（例えば、特許文献１）。また、内容物の長さに応じて複数段階に長さを変更でき、輸送効率がすぐれた伸縮式の通い箱も知られている（例えば、特許文献２）。
【先行技術文献】
【特許文献】
【０００３】
【特許文献１】特開２００５−１６２２５５号公報
【特許文献２】特開平１０−１４７３３６号公報
【発明の概要】
【発明が解決しようとする課題】
【０００４】
特許文献１のようなプラスチック製の折りたたみ式通い箱を使用するにあたり、そこに収納する部品或いは製品の規格差異により、不適切な形状の通い箱を使用しなければならず無駄なスペースが多かった。また、プラスチック製の通い箱を生産するにあたり、大型インジェクション成型機が必要となるので、生産コストが上昇する。さらに、一体性の通い箱であるので、大きなスペースを必要とし運送コストが増加する等の問題点があった。特許文献２のような伸縮式の通い箱は長さの変更はできるものの高さの変更ができない等の問題点があった。
【０００５】
本発明は、上記の問題点に鑑み、一体性の通い箱を複数の多筐体に分けて適宜組み合わせることにより収納する部品或いは製品の大きさに応じて形状を任意に変更して組み立て可能な多種規格の組立式通い箱を提供することを目的とする。
【課題を解決するための手段】
【０００６】
上記目的を達成するため、請求項１記載の組立式通い箱は、左右の筐体とロックチップとで構成される組立式通い箱であって、左右の筐体は、１枚の底板、２枚の側壁、１枚の端板の３ピースでそれぞれ形成された外あきの一体性部品であり、左右の筐体における底板及び２枚の側壁に複数個の外あきスロットを設け、左右の筐体を適切に合わせて、左右の底板及び左右の２枚の側壁の相対する外あきスロットにロックチップを差し込んで組み立てることを特徴とするものである。
【０００７】
また、請求項２記載の組立式通い箱は、左右の筐体と増長筐体とロックチップとで構成される組立式通い箱であって、左右の筐体は、１枚の底板、２枚の側壁、１枚の端板の３ピースでそれぞれ形成された外あきの一体性部品であり、増長筐体は、１枚の増長底板、２枚の増長側壁の２ピースで形成されたＵ型増長部品であり、左右の筐体における底板及び２枚の側壁に複数個の外あきスロットを設け、増長筐体における増長底板及び２枚の増長側壁の両側に複数個の外あきスロットを設け、左右の筐体の間に増長筐体を介在させ左右の筐体と増長筐体を適切に合わせて、左右の底板及び左右の２枚の側壁とその間に介在させた増長底板及び２枚の増長側壁の相対する外あきスロットにロックチップを差し込んで長さを増して組み立てることを特徴とするものである。
【０００８】
また、請求項３記載の組立式通い箱は、左右の筐体と左右の嵩上筐体とロックチップとで構成される組立式通い箱であって、左右の筐体は、１枚の底板、２枚の側壁、１枚の端板の３ピースでそれぞれ形成された外あきの一体性部品であり、左右の嵩上筐体は、２枚の嵩上側壁、１枚の嵩上端板の２ピースでそれぞれ形成された外あきの一体性部品であり、左右の筐体における底板及び２枚の側壁に複数個の外あきスロットを設け、左右の嵩上筐体における２枚の嵩上側壁に複数個の外あきスロットを設け、左右の筐体と左右の嵩上筐体を適切に合わせて、左右の底板及び左右の２枚の側壁と左右の２枚の嵩上側壁の相対する外あきスロットにロックチップを差し込んで高さを嵩上して組み立てることを特徴とするものである。
【０００９】
また、請求項４記載の組立式通い箱は、左右の筐体と増長筐体と左右の嵩上筐体と増長嵩上筐体とロックチップとで構成される組立式通い箱であって、左右の筐体は、１枚の底板、２枚の側壁、１枚の端板の３ピースでそれぞれ形成された外あきの一体性部品であり、増長筐体は、１枚の増長底板、２枚の増長側壁の２ピースで形成されたＵ型増長部品であり、左右の嵩上筐体は、２枚の嵩上側壁、１枚の嵩上端板の２ピースでそれぞれ形成された外あきの一体性部品であり、増長嵩上筐体は、２枚の増長嵩上側壁の１ピースで形成された増長嵩上部品であり、左右の筐体における底板及び２枚の側壁に複数個の外あきスロットを設け、増長筐体における増長底板及び２枚の増長側壁の両側に複数個の外あきスロットを設け、左右の嵩上筐体における２枚の嵩上側壁に複数個の外あきスロットを設け、増長嵩上筐体における２枚の増長嵩上側壁の両側に複数個の外あきスロットを設け、左右の筐体及び左右の嵩上筐体の間に増長筐体及び増長嵩上筐体を介在させ左右の筐体及び左右の嵩上筐体と増長筐体及び増長嵩上筐体を適切に合わせて、左右の底板、左右の２枚の側壁、左右の２枚の嵩上側壁とその間に介在させた増長底板、２枚の増長側壁、２枚の増長嵩上側壁の相対する外あきスロットにロックチップを差し込んで長さを増すとともに高さを嵩上して組み立てることを特徴とするものである。
【発明の効果】
【００１０】
本発明の組立式通い箱によれば、一体性の通い箱を複数の多筐体に分けて適宜組み合わせることにより、生産面において大型成型機を使用することなく小型成型機で製作できるため金型の製造コストを大幅に下げることができる。また、物流運送において通い箱の主体は積み重ねることができスペースが半分に削減できる。これにより、通い箱は生産及び物流運送のコストダウンを実現してさらに堅牢と組み立てやすい特性を兼ね備え、ニーズに応じて通い箱の主体の長さと高さは自由に調整できるため、メンテナンスや修理などにも便利で、使用コストダウンを図ることができる。
【図面の簡単な説明】
【００１１】
【図１】本発明による組立式通い箱の第一実施例を示し、（ａ）は組立分解図、（ｂ）は組立完成図である。
【図２】第一実施例における側壁の一部を示し、（ａ）は組立分解図、（ｂ）は組立完成図である。
【図３】第一実施例における底板の一部を示し、（ａ）は組立分解図、（ｂ）は組立完成図である。
【図４】本発明による組立式通い箱の第二実施例を示し、（ａ）は組立分解図、（ｂ）は組立完成図である。
【図５】本発明による組立式通い箱の第三実施例を示し、（ａ）は組立分解図、（ｂ）は組立完成図である。
【図６】本発明による組立式通い箱の第四実施例を示し、（ａ）は組立分解図、（ｂ）は組立完成図である。
【発明を実施するための形態】
【実施例】
【００１２】
以下、本発明による組立式通い箱の具体的実施例について説明する。図１は組立式通い箱の第一実施例を示したもので、図１（ａ）は組立分解図、図１（ｂ）は組立完成図である。
【００１３】
図１（ａ）、（ｂ）に示すように、１０は左右の筐体１１、１２と左右の筐体１１、１２を連結するためのロックチップＲＣとで構成される組立式通い箱である。左右の筐体１１、１２は、１枚の底板１１Ｂ、１２Ｂ、２枚の側壁１１Ｓａ、１１Ｓｂ、１２Ｓａ、１２Ｓｂ、１枚の端板１１Ｔ、１２Ｔの３ピースでそれぞれ形成された外あきの一体性部品であり、筐体１１は、底板１１Ｂ、側壁１１Ｓａ、１１Ｓｂ、端板１１Ｔの一方が一体化され、他方が外あき開放端部の状態に形成される。同様に、筐体１２は、底板１２Ｂ、側壁１２Ｓａ、１２Ｓｂ、端板１２Ｔの一方が一体化され、他方が外あき開放端部の状態に形成される。
【００１４】
左右の筐体１１、１２を形成する１枚の底板１１Ｂ、１２Ｂの開放端部には、図３（ａ）に示すように、複数個の外あきスロットＳＬが設けられ、左右の筐体１１、１２を適切に合わせて、図３（ｂ）に示すように、左右の底板１１Ｂ、１２Ｂの相対する外あきスロットＳＬにロックチップＲＣを差し込む。同様に、左右の筐体１１、１２を形成する２枚の側壁１１Ｓａ、１１Ｓｂ、１２Ｓａ、１２Ｓｂの開放端部には、図２（ａ）に示すように、複数個の外あきスロットＳＬが設けられ、左右の筐体１１、１２を適切に合わせて、図２（ｂ）に示すように、左右の側壁１１Ｓａ、１１Ｓｂ、１２Ｓａ、１２Ｓｂの相対する外あきスロットＳＬにロックチップＲＣを差し込む。左右の側壁１１Ｓａ、１１Ｓｂ、１２Ｓａ、１２Ｓｂには複数の縦リブ１１Ｌｔ、１２Ｌｔ、横リブ１１Ｌｙ、１２Ｌｙが補強のために設けられ、横リブ１１Ｌｙ、１２Ｌｙの開放端部にも複数個の外あきスロットＳＬが設けられ、ロックチップＲＣを差し込み、図１（ｂ）に示すように、組立式通い箱１０を組み立てて完成させる。なお、説明は省略するが、縦リブ、横リブ、横リブの開放端部に設けた複数個の外あきスロットＳＬは、第二実施例〜第四実施例においても同様に設けられる。
【００１５】
次に、図４は組立式通い箱の第二実施例を示したもので、図４（ａ）は組立分解図、図４（ｂ）は組立完成図である。
【００１６】
図４（ａ）に示すように、２０は左右の筐体２１、２２と増長筐体２５とロックチップＲＣとで構成される組立式通い箱２０である。左右の筐体２１、２２は、１枚の底板２１Ｂ、２２Ｂ、２枚の側壁２１Ｓａ、２１Ｓｂ、２２Ｓａ、２２Ｓｂ、１枚の端板２１Ｔ、２２Ｔの３ピースでそれぞれ形成された外あきの一体性部品であり、増長筐体２５は、１枚の増長底板２５Ｂ、２枚の増長側壁２５Ｓａ、２５Ｓｂの２ピースで形成されたＵ型増長部品であり、筐体２１は、底板２１Ｂ、側壁２１Ｓａ、２１Ｓｂ、端板２１Ｔの一方が一体化され、他方が外あき開放端部の状態に形成される。同様に、筐体２２は、底板２２Ｂ、側壁２２Ｓａ、２２Ｓｂ、端板２２Ｔの一方が一体化され、他方が外あき開放端部の状態に形成される。更に、増長筐体２５は、増長底板２５Ｂ、増長側壁２５Ｓａ、２５Ｓｂの両方が外あき開放端部の状態に形成される。
【００１７】
左右の筐体２１、２２を形成する１枚の底板２１Ｂ、２２Ｂ、２枚の側壁２１Ｓａ、２１Ｓｂ、２２Ｓａ、２２Ｓｂの開放端部には、複数個の外あきスロットＳＬが設けられ、増長筐体２５を形成する増長底板２５Ｂ、２枚の増長側壁２５Ｓａ、２５Ｓｂの両側には、複数個の外あきスロットＳＬが設けられ、左右の筐体２１、２２の間に増長筐体２５を介在させ左右の筐体２１、２２と増長筐体２５を適切に合わせて、左右の底板２１Ｂ、２２Ｂ及び左右の側壁２１Ｓａ、２１Ｓｂ、２２Ｓａ、２２Ｓｂとその間に介在させた増長底板２５Ｂ及び増長側壁２５Ｓａ、２５Ｓｂの相対する外あきスロットＳＬにロックチップＲＣを差し込み、図４（ｂ）に示すように、長さを増した組立式通い箱２０を組み立てて完成させる。
【００１８】
次に、図５は組立式通い箱の第三実施例を示したもので、図５（ａ）は組立分解図、図５（ｂ）は組立完成図である。
【００１９】
図５（ａ）に示すように、３０は左右の筐体３１、３２と左右の嵩上筐体３３、３４とロックチップＲＣとで構成される組立式通い箱である。左右の筐体３１、３２は、１枚の底板３１Ｂ、３２Ｂ、２枚の側壁３１Ｓａ、３１Ｓｂ、３２Ｓａ、３２Ｓｂ、１枚の端板３１Ｔ、３２Ｔの３ピースでそれぞれ形成された外あきの一体性部品であり、左右の嵩上筐体３３、３４は、２枚の嵩上側壁３３Ｓａ、３３Ｓｂ、３４Ｓａ、３４Ｓｂ、１枚の嵩上端板３３Ｔ、３４Ｔの２ピースでそれぞれ形成された外あきの一体性部品である。なお、嵩上側壁３３Ｓａ、３３Ｓｂ、３４Ｓａ、３４Ｓｂ、嵩上端板３３Ｔ、３４Ｔの下端には左右の筐体３１、３２に接合するための嵩上接合片３３Ｐ、３４Ｐが延設される。
【００２０】
筐体３１は、底板３１Ｂ、側壁３１Ｓａ、３１Ｓｂ、端板３１Ｔの一方が一体化され、他方が外あき開放端部の状態に形成される。同様に、筐体３２は、底板３２Ｂ、側壁３２Ｓａ、３２Ｓｂ、端板３２Ｔの一方が一体化され、他方が外あき開放端部の状態に形成される。
【００２１】
嵩上筐体３３は、嵩上側壁３３Ｓａ、３３Ｓｂ、嵩上端板３３Ｔの一方が一体化され、他方が外あき開放端部の状態に形成される。同様に、嵩上筐体３４は、嵩上側壁３４Ｓａ、３４Ｓｂ、嵩上端板３４Ｔの一方が一体化され、他方が外あき開放端部の状態に形成される。
【００２２】
左右の筐体３１、３２を形成する１枚の底板３１Ｂ、３２Ｂ、２枚の側壁３１Ｓａ、３１Ｓｂ、３２Ｓａ、３２Ｓｂの開放端部には、複数個の外あきスロットＳＬが設けられ、左右の筐体３１、３２を適切に合わせて、左右の底板３１Ｂ、３２Ｂ及び左右の２枚の側壁３１Ｓａ、３１Ｓｂ、３２Ｓａ、３２Ｓｂの相対する外あきスロットＳＬにロックチップＲＣを差し込み、左右の筐体３１、３２を組み立てる。
【００２３】
同様に、左右の嵩上筐体３３、３４を形成する２枚の嵩上側壁３３Ｓａ、３３Ｓｂ、３４Ｓａ、３４Ｓｂの開放端部には、複数個の外あきスロットＳＬが設けられ、左右の嵩上筐体３３、３４を適切に合わせて、左右の２枚の嵩上側壁３３Ｓａ、３３Ｓｂ、３４Ｓａ、３４Ｓｂの相対する外あきスロットＳＬにロックチップＲＣを差し込み、左右の嵩上筐体３３、３４を組み立て、嵩上側壁３３Ｓａ、３３Ｓｂ、３４Ｓａ、３４Ｓｂ、嵩上端板３３Ｔ、３４Ｔの下端に延設された嵩上接合片３３Ｐ、３４Ｐと左右の筐体３１、３２を超音波で溶接して、図５（ｂ）に示すように、高さを嵩上した組立式通い箱３０を組み立てて完成させる。
【００２４】
次に、図６は組立式通い箱の第四実施例を示したもので、図６（ａ）は組立分解図、図６（ｂ）は組立完成図である。
【００２５】
図６（ａ）に示すように、４０は左右の筐体４１、４２と増長筐体４５と左右の嵩上筐体４３、４４と増長嵩上筐体４６とロックチップＲＣとで構成される組立式通い箱である。左右の筐体４１、４２は、１枚の底板４１Ｂ、４２Ｂ、２枚の側壁４１Ｓａ、４１Ｓｂ、４２Ｓａ、４２Ｓｂ、１枚の端板４１Ｔ、４２Ｔの３ピースでそれぞれ形成された外あきの一体性部品であり、増長筐体４５は、１枚の増長底板４５Ｂ、２枚の増長側壁４５Ｓａ、４５Ｓｂの２ピースで形成されたＵ型増長部品であり、左右の嵩上筐体４３、４４は、２枚の嵩上側壁４３Ｓａ、４３Ｓｂ、４４Ｓａ、４４Ｓｂ、１枚の嵩上端板４３Ｔ、４４Ｔの２ピースでそれぞれ形成された外あきの一体性部品であり、増長嵩上筐体４６は、２枚の増長嵩上側壁４６Ｓａ、４６Ｓｂの１ピースで形成された増長嵩上部品である。なお、嵩上側壁４３Ｓａ、４３Ｓｂ、４４Ｓａ、４４Ｓｂ、嵩上端板４３Ｔ、４４Ｔの下端及び増長嵩上側壁４６Ｓａ、４６Ｓｂの下端には左右の筐体４１、４２に接合するための嵩上接合片４３Ｐ、４４Ｐ及び増長筐体４５に接合するための増長嵩上接合片４６Ｐが延設される。
【００２６】
筐体４１は、底板４１Ｂ、側壁４１Ｓａ、４１Ｓｂ、端板４１Ｔの一方が一体化され、他方が外あき開放端部の状態に形成される。同様に、筐体４２は、底板４２Ｂ、側壁４２Ｓａ、４２Ｓｂ、端板４２Ｔの一方が一体化され、他方が外あき開放端部の状態に形成される。更に、増長筐体４５は、増長底板４５Ｂ、増長側壁４５Ｓａ、４５Ｓｂの両方が外あき開放端部の状態に形成される。
【００２７】
嵩上筐体４３は、嵩上側壁４３Ｓａ、４３Ｓｂ、嵩上端板４３Ｔの一方が一体化され、他方が外あき開放端部の状態に形成される。同様に、嵩上筐体４４は、嵩上側壁４４Ｓａ、４４Ｓｂ、嵩上端板４４Ｔの一方が一体化され、他方が外あき開放端部の状態に形成される。更に、増長嵩上筐体４６は、増長嵩上側壁４６Ｓａ、４６Ｓｂの両方が外あき開放端部の状態に形成される。
【００２８】
左右の筐体４１、４２を形成する１枚の底板４１Ｂ、４２Ｂ、２枚の側壁４１Ｓａ、４１Ｓｂ、４２Ｓａ、４２Ｓｂの開放端部には、複数個の外あきスロットＳＬが設けられ、増長筐体４５を形成する１枚の増長底板４５Ｂ、２枚の増長側壁４５Ｓａ、４５Ｓｂの両側には、複数個の外あきスロットＳＬが設けられ、左右の筐体４１、４２の間に増長筐体４５を介在させ左右の筐体４１、４２と増長筐体４５を適切に合わせて、左右の底板４１Ｂ、４２Ｂ、左右の２枚の側壁４１Ｓａ、４１Ｓｂ、４２Ｓａ、４２Ｓｂとその間に介在させた１枚の増長底板４５Ｂ、２枚の増長側壁４５Ｓａ、４５Ｓｂの相対する外あきスロットＳＬにロックチップＲＣを差し込み、増長筐体４５により長さを増した左右の筐体４１、４２を組み立てる。
【００２９】
同様に、左右の嵩上筐体４３、４４を形成する２枚の嵩上側壁４３Ｓａ、４３Ｓｂ、４４Ｓａ、４４Ｓｂの開放端部には、複数個の外あきスロットＳＬが設けられ、増長嵩上筐体４６を形成する２枚の増長嵩上側壁４６Ｓａ、４６Ｓｂの両側には、複数個の外あきスロットＳＬが設けられ、左右の嵩上筐体４３、４４の間に増長嵩上筐体４６を介在させ左右の嵩上筐体４３、４４と増長嵩上筐体４６を適切に合わせて、左右の２枚の嵩上側壁４３Ｓａ、４３Ｓｂ、４４Ｓａ、４４Ｓｂとその間に介在させた２枚の増長嵩上側壁４６Ｓａ、４６Ｓｂの相対する外あきスロットＳＬにロックチップＲＣを差し込み、増長嵩上筐体４６により長さを増した左右の嵩上筐体４３、４４を組み立て、嵩上側壁４３Ｓａ、４３Ｓｂ、４４Ｓａ、４４Ｓｂ、嵩上端板４３Ｔ、４４Ｔの下端に延設された嵩上接合片４３Ｐ、４４Ｐ及び増長嵩上側壁４６Ｓａ、４６Ｓｂの下端に延設された増長嵩上接合片４６Ｐと増長筐体４５により長さを増した左右の筐体４１、４２を超音波で溶接して、図６（ｂ）に示すように、長さを増すとともに高さを嵩上した組立式通い箱４０を組み立てて完成させる。
【００３０】
以上説明したように、ニーズに応じて横幅と嵩上げをプラスして多種規格の通い箱を組み合わせることができるので、従来の通い箱と比較すると、箱の裁断作業が不要になり、端材ロスが少なくなり、完成品のみならず、半製品でも梱包が可能となり運送コストを下げることができる。
【００３１】
以上述べたのは本製品の最良事例であり、本新型製品の構成に何も制限していない。本新型製品技術に基づいて事例製品の修正は製品の変化点、改善点として認められ、すべて本新型製品の技術範囲に属する。
【符号の説明】
【００３２】
１０  組立式通い箱（第一実施例）
１１、１２  左右の筐体
１１Ｂ、１２Ｂ  底板
１１Ｓａ、１１Ｓｂ、１２Ｓａ、１２Ｓｂ  側壁
１１Ｔ、１２Ｔ  端板
２０  組立式通い箱（第二実施例）
２１、２２  左右の筐体
２１Ｂ、２２Ｂ  底板
２１Ｓａ、２１Ｓｂ、２２Ｓａ、２２Ｓｂ  側壁
２１Ｔ、２２Ｔ  端板
２５  増長筐体
２５Ｂ  増長底板
２５Ｓａ、２５Ｓｂ  増長側壁
３０  組立式通い箱（第三実施例）
３１、３２  左右の筐体
３１Ｂ、３２Ｂ  底板
３１Ｓａ、３１Ｓｂ、３２Ｓａ、３２Ｓｂ  側壁
３１Ｔ、３２Ｔ  端板
３３、３４  左右の嵩上筐体
３３Ｓａ、３３Ｓｂ、３４Ｓａ、３４Ｓｂ  嵩上側壁
３３Ｔ、３４Ｔ  嵩上端板
３３Ｐ、３４Ｐ  嵩上接合片
４０  組立式通い箱（第四実施例）
４１、４２  左右の筐体
４１Ｂ、４２Ｂ  底板
４１Ｓａ、４１Ｓｂ、４２Ｓａ、４２Ｓｂ  側壁
４１Ｔ、４２Ｔ  端板
４３、４４  左右の嵩上筐体
４３Ｓａ、４３Ｓｂ、４４Ｓａ、４４Ｓｂ  嵩上側壁
４３Ｔ、４４Ｔ  嵩上端板
４３Ｐ、４４Ｐ  嵩上接合片
４５  増長筐体
４５Ｂ  増長底板
４５Ｓａ、４５Ｓｂ  増長側壁
４６  増長嵩上筐体
４６Ｓａ、４６Ｓｂ  増長嵩上側壁
４６Ｐ  増長嵩上接合片
ＲＣ  ロックチップ
ＳＬ  外あきスロット
【図１】
2013056686.tif 000003
【図２】
2013056686.tif 000004
【図３】
2013056686.tif 000005
【図４】
2013056686.tif 000006
【図５】
2013056686.tif 000007
【図６】
2013056686.tif 000008